(57)【要約】【課題】携帯端末の補強フレームの撓みを減少させ、かつねじり剛性を高めることにより、落下時の表示ディスプレイ等の割れ、破壊に対する強度向上を図る。【解決手段】表示ディスプレイと、この表示ディスプレイを背面側から補強する補強フレーム１０とを備えた携帯電話機において、補強フレーム１０に、矩形板状の平板部１１と、この平板部１１の外周に垂直に立設された対向する二対の縦壁部１２，１３とを設け、４つの角部１４において、それぞれ互いに垂直に交わる一対の縦壁部１２，１３を互いに隙間１５を開けて立設し、各縦壁部１２，１３の端部から隙間１５に向けて延長折曲部１６，１７を延ばし、それぞれ平板部１１の厚さ方向に異なる高さに配置して他方側の縦壁部１２，１３を覆うように垂直に折り曲げる。【選択図】図１
2013031114.tif 000002
【特許請求の範囲】
【請求項１】
表示ディスプレイ及び該表示ディスプレイを背面側から補強する補強フレームを備えた携帯端末において、
上記補強フレームは、
矩形板状の平板部と、
該平板部の外周に垂直に立設された対向する二対の縦壁部とを備え、
４つの角部において、それぞれ互いに垂直に交わる一対の上記縦壁部は、互いに隙間を開けて立設され、各縦壁部の端部から上記隙間に向けて延びると共に、それぞれ上記平板部の厚さ方向に異なる高さに配置され、他方側の縦壁部を覆うように垂直に折り曲げられる延長折曲部を有する
ことを特徴とする携帯端末。
【請求項２】
請求項１に記載の携帯端末において、
上記二対の縦壁部は、上記平板部の長手方向に沿う一対の左右縦壁部と、該平板部の幅方向に沿う一対の上下縦壁部よりなり、
上記延長折曲部は、上記左右縦壁部から延びる左右延長折曲部と、上記上下縦壁部から延びる上下延長折曲部とからなり、
上記上下延長折曲部は、上記左右延長折曲部よりも上記平板部から厚さ方向で高い位置にある
ことを特徴とする携帯端末。
【請求項３】
請求項１又は２に記載の携帯端末において、
上記補強フレームは、上記携帯端末の筐体を形成する樹脂と共にインサート成形されている
ことを特徴とする携帯端末。
【発明の詳細な説明】
【技術分野】
【０００１】
本発明は、表示ディスプレイ及び該表示ディスプレイを背面側から補強する補強フレームを備えた携帯端末に関するものである。
【背景技術】
【０００２】
従来より、表示ディスプレイと、この表示ディスプレイを背面側から補強する補強フレームとを備えた携帯端末は知られている。例えば、特許文献１の携帯端末では、第１板金の表示装置収容凹部に表示装置が嵌め込まれている。
【先行技術文献】
【特許文献】
【０００３】
【特許文献１】特開２０１０−１０９７６０号公報
【発明の概要】
【発明が解決しようとする課題】
【０００４】
携帯電話機に代表される携帯端末では、表示ディスプレイを覆う筐体は、薄く、かつ強度が高いことが要求され、その補強フレームは、ステンレス鋼板やアルミ合金板が主流となっている。ステンレス鋼板やアルミ合金板は平板のままで厚さを薄くすると強度が不足する。このため、外周に縦壁部を立ち上げることで強度の向上を図っている。
【０００５】
しかしながら、ステンレス鋼板やアルミ合金板を絞り加工して縦壁部を設けると、平板部や折曲部分が変形するという問題がある。
【０００６】
本発明は、かかる点に鑑みてなされたものであり、その目的とするところは、携帯端末の補強フレームの撓みを減少させ、かつねじり剛性を高めることにより、落下時の表示ディスプレイ等の割れ、破壊に対する強度向上を図ることにある。
【課題を解決するための手段】
【０００７】
上記の目的を達成するために、この発明では、補強フレームの縦壁部の角部に延長折曲部を設けた。
【０００８】
具体的には、第１の発明では、表示ディスプレイ及び該表示ディスプレイを背面側から補強する補強フレームを備えた携帯端末を前提とする。
【０００９】
そして、上記補強フレームは、
矩形板状の平板部と、
該平板部の外周に垂直に立設された対向する二対の縦壁部とを備え、
４つの角部において、それぞれ互いに垂直に交わる一対の上記縦壁部は、互いに隙間を開けて立設され、各縦壁部の端部から上記隙間に向けて延びると共に、それぞれ上記平板部の厚さ方向に異なる高さに配置され、他方側の縦壁部を覆うように垂直に折り曲げられる延長折曲部を有する。
【００１０】
上記の構成によると、各角部において、一対の縦壁部が互いに隙間を空けて立設されているので、隙間なく絞り加工する場合のように縦壁部の折り曲げ加工において角部に撓みが生じることはない。そして、各縦壁部の端部から平板部の厚さ方向に異なる高さに隙間に向けて延長折曲部を延ばし、この延長折曲部を他方側の縦壁部を覆うように垂直に折り曲げることにより、一方の縦壁部からそれぞれ延びる延長折曲部が他方の縦壁部が外側へ倒れようとするのを防ぐので、捩り剛性が向上する。
【００１１】
第２の発明では、第１の発明において、
上記二対の縦壁部は、上記平板部の長手方向に沿う一対の左右縦壁部と、該平板部の幅方向に沿う一対の上下縦壁部よりなり、
上記延長折曲部は、上記左右縦壁部から延びる左右延長折曲部と、上記上下縦壁部から延びる上下延長折曲部とからなり、
上記上下延長折曲部は、上記左右延長折曲部よりも上記平板部から厚さ方向で高い位置にある。
【００１２】
すなわち、携帯端末の場合、補強フレームの長手方向中心としてねじられる頻度が、幅方向を中心としてねじられる頻度よりも多いが、上記の構成によると、長手方向を中心にねじられたとき、左右縦壁部が左右外側へ広がろうとしても、上下延長折曲部が、その広がりを防止するので、捩り剛性が向上する。
【００１３】
第３の発明では、第１又は第２の発明において、
上記補強フレームは、上記携帯端末の筐体を形成する樹脂と共にインサート成形されている。
【００１４】
上記の構成によると、延長折曲部が樹脂で覆われて外観がよくなり、延長折曲部に他の部品が引っ掛かることもない。
【発明の効果】
【００１５】
以上説明したように、本発明によれば、補強フレームの各角部において、互いに垂直に交わる一対の縦壁部を互いに隙間を開けて立設し、各縦壁部の端部からこの隙間に向けて延長折曲部を延ばし、それぞれ平板部の厚さ方向に異なる高さに配置し、他方側の縦壁部を覆うように垂直に折り曲げるようにしたことにより、携帯端末の補強フレームの撓みを減少させ、かつねじり剛性を高めることにより、落下時の表示ディスプレイ等の割れ、破壊に対する強度向上を図ることができる。
【図面の簡単な説明】
【００１６】
【図１】補強フレームの１つの角部を拡大して示す斜視図である。
【図２】閉じた状態のスライド式携帯電話機を示す斜視図である。
【図３】開いた状態のスライド式携帯電話機を示す斜視図である。
【図４】第１の筐体の一部を分解して示す斜視図である。
【図５】補強フレームを示す斜視図である。
【図６】第１の筐体の製造工程の概略を示すフローチャートである。
【図７】外形プレス加工後の補強フレームの角部を拡大して示す正面図である。
【図８】絞り加工した比較例の補強フレームを示す図１相当図である。
【図９】比較試験を行う様子を示す斜視図である。
【図１０】比較試験の結果を現すグラフである。
【発明を実施するための形態】
【００１７】
以下、本発明の実施形態を図面に基づいて説明する。
【００１８】
図２及び図３は、本発明の実施形態の携帯端末としての携帯電話機１を示し、この携帯電話機１は、液晶、有機ＥＬなどの表示ディスプレイ２を表面側に有する第１の筐体３と、この第１の筐体３をスライド自在に支持し、表面側に操作部４を有する第２の筐体５とを備えている。
【００１９】
図４に示すように、第１の筐体３の表面側に凹陥されたディスプレイ用凹部３ａに表示ディスプレイ２が嵌め込まれるようになっている。ディスプレイ用凹部３ａには、表示ディスプレイ２を背面側から補強する補強フレーム１０が露出している。
【００２０】
そして、図５に示すように、補強フレーム１０は、矩形板状の平板部１１と、この平板部１１の外周に垂直に立設された対向する二対の縦壁部１２，１３とを備えている。具体的には、補強フレーム１０は、平板部１１の長手方向に延びる一対の左右縦壁部１２と幅方向に延びる一対の上下縦壁部１３とを有する。平板部１１は、インサート成形時の位置決めのためや軽量のために円形貫通孔１１ａが複数設けられている。また、平板部１１には、表示ディスプレイ２から延びるフレキシブル基板２ａを通過させるための矩形貫通孔１１ｂも設けられている。
【００２１】
図１に示すように、補強フレームの４つの角部１４において、それぞれ互いに垂直に交わる一対の縦壁部１２，１３は、厚さ方向に直線状に延びる隙間１５を形成するように立設されている。左右縦壁部１２の上下端部から隙間１５に（上下外側に）向けて左右延長折曲部１６が延び、上下縦壁部１３の左右端部から隙間１５に（左右外側に）向けて上下延長折曲部１７が延びている。左右延長折曲部１６が平板部１１の厚さ方向の下側（携帯電話機１の裏側）に、上下延長折曲部１７が厚さ方向上側となるように互いに異なる高さに配置されている。そして、左右延長折曲部１６の先端は、上下縦壁部１３を上下外側から覆うように垂直に折り曲げられ、上下延長折曲部１７の先端は、左右縦壁部１２を左右外側から覆うように垂直に折り曲げられている。
【００２２】
そして、第１の筐体３は、図６に示す手順で製造される。
【００２３】
まず、ステップＳ０１において、例えば角部１４が図７に示すような形状となるように、ＳＵＳ３０４等のステンレス鋼板から補強フレーム１０となる部分を切り出す。
【００２４】
次いで、ステップＳ０２において、箱曲げ加工を行い、二対の縦壁部１２，１３を立設させる。このとき、一対の縦壁部１２，１３間に隙間１５が形成される。
【００２５】
次いで、ステップＳ０３において、各角部１４において延長折曲部１６，１７の折り曲げ加工を行う。
【００２６】
最後に、このようにして成形された補強フレーム１０を円形貫通孔１１ａを利用して射出成形型に位置決めし、インサート成形を行う。これにより、補強フレーム１０がインサート成形された第１の筐体３が完成する。延長折曲部１６，１７は、樹脂で完全に覆われているので、外観がよくなり、延長折曲部１６，１７に他の部品が引っ掛かることもない。
【００２７】
次いで、補強フレーム１０のねじり剛性を調べるためにねじり解析による強度解析を行った。実施例として上記補強フレーム１０を用い、比較例として図８に示す絞り加工で成形した補強フレーム１１０を用いた。比較例では、角部１１４において、一対の縦壁部１１２，１１３が隙間なく連続している。
【００２８】
解析条件は、補強フレーム１０の材料をＳＵＳ３０４とし、ヤング率が１４５６７４ＭＰａ、ポアソン比が０．３とし、図９に示す治具５０に補強フレーム１０又は１１０を嵌めて長手方向中心軸５１を中心に徐々に大きなねじりトルクを加えていき、ねじれ角αの移り変わりを比較調査した。治具５０の角部５０ａは、切り欠いて角部１４，１１４への影響をなくしている。その解析結果を図１０に示す。
【００２９】
図１０に示すように、特にねじりトルクが３０Ｎ・ｃｍを超えると、比較例の補強フレーム１１０のねじり角α２と実施例の補強フレーム１０のねじり角α１との差が大きく広がっている（α２＞α１）。このグラフを見てもわかるように、従来の絞り加工の補強フレーム１１０よりも、本実施形態の補強フレーム１０の方がねじり剛性が高いことがわかった。長手方向中心軸５１を中心にねじられたとき、左右縦壁部１２が左右外側へ広がろうとしても、上下延長折曲部１７が、その広がりを防止するので、捩り剛性が向上していることがわかる。
【００３０】
このように、本実施形態の補強フレーム１０では、各角部１４において、左右縦壁部１２と上下縦壁部１３とが互いに隙間１５を空けて立設されているので、隙間１５なしに絞り加工する比較例のように左右縦壁部１２及び上下縦壁部１３の折り曲げ加工において角部１４に撓みが生じることはない。そして、左右縦壁部１２及び上下縦壁部１３の端部からそれぞれ平板部１１の厚さ方向に異なる高さに隙間１５に向けてそれぞれ左右延長折曲部１６、上下延長折曲部１７を延ばし、左右延長折曲部１６が上下縦壁部１３を覆い、左右延長折曲部１６が上下縦壁部１３を覆うように垂直に折り曲げることにより、左右縦壁部１２から延びる左右延長折曲部１６が上下縦壁部１３が外側へ倒れようとするのを防ぎ、上下縦壁部１３から延びる上下延長折曲部１７が左右縦壁部１２が外側へ倒れようとするのを防ぐので、捩り剛性が向上する。
【００３１】
したがって、本実施形態にかかる携帯電話機１によると、補強フレーム１０の撓みを減少させると共に、捩り剛性を高めることにより、落下時に補強フレーム１０に嵌め込んだ表示ディスプレイ２等の割れ、破壊に対する強度向上を図ることができる。
【００３２】
（その他の実施形態）
本発明は、上記実施形態について、以下のような構成としてもよい。
【００３３】
すなわち、上記実施形態では、携帯端末は、スライド式の携帯電話機１としたが、折畳み式や第１の筐体と第２の筐体とが一体の携帯電話機としてもよく、また、表示ディスプレイを有するものであれば、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３４】
また、上記実施形態では、補強フレーム１０は、ステンレス製としたが、折り曲げ加工可能な金属であればよく、アルミニウム合金等でもよい。
【００３５】
さらに、上記実施形態では、左右延長折曲部１６が平板部１１の厚さ方向の下側に、上下延長折曲部１７が厚さ方向上側となるように配置したが、上下反対としてもよい。
【００３６】
なお、以上の実施形態は、本質的に好ましい例示であって、本発明、その適用物や用途の範囲を制限することを意図するものではない。
【符号の説明】
【００３７】
１      携帯電話機（携帯端末）
２      表示ディスプレイ
３      第１の筐体
１０      補強フレーム
１１      平板部
１２      左右縦壁部
１３      上下縦壁部
１４      角部
１５      隙間
１６      左右延長折曲部
１７      上下延長折曲部
【図１】
2013031114.tif 000003
【図２】
2013031114.tif 000004
【図３】
2013031114.tif 000005
【図４】
2013031114.tif 000006
【図５】
2013031114.tif 000007
【図６】
2013031114.tif 000008
【図７】
2013031114.tif 000009
【図８】
2013031114.tif 000010
【図９】
2013031114.tif 000011
【図１０】
2013031114.tif 000012